(57)【特許請求の範囲】
【請求項１】
枠体に障子を開閉自在に設けた浴室建具であって、
前記障子に浴室側と脱衣室側とを連通する換気部を設け、
該換気部内にガラリを、当該換気部内の脱衣室側寄りに位置し換気部を開放して換気状態とする開放姿勢と、換気部内の浴室側寄りに位置し換気部を閉鎖して非換気状態とする閉鎖姿勢とに亘って見込み方向に移動するように設け、
前記ガラリが閉鎖姿勢のときに、当該ガラリの一方が換気部を構成する第１形材の浴室側に直接あるいは間接的に当接し、そのガラリの他方が換気部を構成する第２形材の浴室側に直接あるいは間接的に当接し、そのガラリの浴室側面と障子の浴室側面がほぼフラットに連続するようにしたことを特徴とする浴室建具。
【請求項２】
前記第１形材は、本体と、その本体の浴室側部に下向きに設けた浴室側片を備え、
前記第２形材は、本体と、その本体の脱衣室側部に上向きに設けた脱衣室側片を備え、
前記浴室側片の下端部と第２形材の本体の上面との間に、前記第１形材と第２形材との間の空洞を浴室側に開口する浴室側開口を形成し、
前記脱衣室側片の上端部と第１形材の本体の下面との間に、前記空洞を脱衣室側に開口する脱衣室側開口を形成し、
前記空洞と浴室側開口と脱衣室側開口で換気部とし、
前記ガラリが閉鎖姿勢のときに、当該ガラリの上部が前記浴室側片に直接あるいは間接的に当接し、そのガラリの下部が前記第２形材の本体の上面に直接あるいは間接的に当接して浴室側開口を閉じるようにした請求項１記載の浴室建具。
【請求項３】
前記浴室側片に上水密材を脱衣室側に向けて装着し、
前記ガラリの下部に下水密材を下向きに装着し、
このガラリが閉鎖姿勢のときに、当該ガラリの上部が前記上水密材に圧着し、前記下水密材が前記第２形材の本体の上面に圧着するようにした請求項２記載の浴室建具。
【請求項４】
前記ガラリが開放姿勢のときに、そのガラリと第１形材の浴室側片との間に空気が流通し、ガラリと第２形材の脱衣室側片との間には空気が流通しないようにした請求項２又は３記載の浴室建具。
【請求項５】
前記ガラリが開放姿勢のときに、そのガラリと第１形材の浴室側片との間及び、ガラリと第２形材の脱衣室側片との間に、空気がそれぞれ流通するようにした請求項２又は３記載の浴室建具。
【請求項６】
前記ガラリの左右両側の上部と下部に上スライド部と下スライド部をそれぞれ設け、
前記換気部を構成する対向した２つの第３形材に、前記上スライド部を見込み方向に摺動自在に案内する上案内部と、前記下スライド部を見込み方向に摺動自在に案内する下案内部を設け、
前記上案内部は、見込み方向に向かう上ガイド溝と、この上ガイド溝の浴室側寄りと連続した上の浴室側凹部と、前記上ガイド溝の脱衣室側寄りと連続した上の脱衣室側凹部を有し、
前記下案内部は、見込み方向に向かう下ガイド溝と、この下ガイド溝の浴室側寄りと連続した下の浴室側凹部と、前記下ガイド溝の脱衣室側寄りと連続した下の脱衣室側凹部を有し、
前記ガラリの上スライド部、下スライド部を上下の浴室側凹部にそれぞれ嵌合することで、当該ガラリを閉鎖姿勢に保持し、
前記ガラリの上スライド部、下スライド部を上下の脱衣室側凹部にそれぞれ嵌合することで、当該ガラリを開閉姿勢に保持するようにした請求項１〜５いずれか１項記載の浴室建具。
【請求項７】
前記上ガイド溝を上の浴室側開口部で浴室側に開口し、
前記下ガイド溝を下の浴室側開口部で浴室側に開口した請求項６記載の浴室建具。
【発明の詳細な説明】
【技術分野】
【０００１】
本発明は、浴室の出入口に設けられる浴室建具に関する。
【背景技術】
【０００２】
従来、浴室の出入口に設けられる浴室建具としては、枠体に障子を開閉自在に設けた、引戸、折戸、開き戸等が知られている。
一方、浴室内を換気等するために、障子に浴室側と脱衣室側を連通する換気部を設けた浴室建具が提案されているが、浴室使用時に湯水が換気部を通して脱衣室側に流れる恐れがあるので、その換気部にガラリを設け、このガラリで換気部を開放して換気状態、閉鎖して非換気状態に切り換えできるようにした浴室建具が提案されている（特許文献１参照）。
【先行技術文献】
【特許文献】
【０００３】
【特許文献１】特開２００８−３１７３０号公報
【発明の概要】
【発明が解決しようとする課題】
【０００４】
前述した従来の浴室建具は、障子の換気部に設けたガラリが、換気部を開放する開放姿勢と閉鎖する閉鎖姿勢とに亘って面外方向に揺動し、そのガラリが閉鎖姿勢のときに、ガラリの上部が換気部を構成する下桟の浴室側に当接し、下部が換気部を構成する下框の脱衣室側に当接するので、ガラリを換気部内に完全に収容することは困難で、下桟、下框（障子）の浴室側面から浴室側に突出すると共に、閉鎖姿勢のガラリは、上部が浴室側で下部が脱衣室側となるように見込み方向に斜めであるから、ガラリが閉鎖姿勢で換気部が閉鎖された非換気状態のときに、浴室側から見ると換気部が凹んだように見え、意匠性が劣る。
しかも、ガラリを浴室側から清掃しづらい。
【０００５】
本発明の目的は、障子の浴室側面からガラリが浴室側に突出することがないと共に、換気部が非換気状態のときに障子の浴室側面とガラリが略フラットに連続したように見え、意匠性が優れ、しかも、ガラリを浴室側から簡単に清掃できるようにした浴室建具とすることである。
【課題を解決するための手段】
【０００６】
本発明は、枠体に障子を開閉自在に設けた浴室建具であって、
前記障子に浴室側と脱衣室側とを連通する換気部を設け、
該換気部内にガラリを、当該換気部内の脱衣室側寄りに位置し換気部を開放して換気状態とする開放姿勢と、換気部内の浴室側寄りに位置し換気部を閉鎖して非換気状態とする閉鎖姿勢とに亘って見込み方向に移動するように設け、
前記ガラリが閉鎖姿勢のときに、当該ガラリの一方が換気部を構成する第１形材の浴室側に直接あるいは間接的に当接し、そのガラリの他方が換気部を構成する第２形材の浴室側に直接あるいは間接的に当接し、そのガラリの浴室側面と障子の浴室側面がほぼフラットに連続するようにしたことを特徴とする浴室建具である。
【０００７】
本発明においては、前記第１形材は、本体と、その本体の浴室側部に下向きに設けた浴室側片を備え、
前記第２形材は、本体と、その本体の脱衣室側部に上向きに設けた脱衣室側片を備え、
前記浴室側片の下端部と第２形材の本体の上面との間に、前記第１形材と第２形材との間の空洞を浴室側に開口する浴室側開口を形成し、
前記脱衣室側片の上端部と第１形材の本体の下面との間に、前記空洞を脱衣室側に開口する脱衣室側開口を形成し、
前記空洞と浴室側開口と脱衣室側開口で換気部とし、
前記ガラリが閉鎖姿勢のときに、当該ガラリの上部が前記浴室側片に直接あるいは間接的に当接し、そのガラリの下部が前記第２形材の本体の上面に直接あるいは間接的に当接して浴室側開口を閉じるようにできる。
このようにすれば、ガラリが開放姿勢で換気状態のときに、浴室側開口から空洞に流れ込んだ浴室の湯水は脱衣室側片に当り、本体の上面に沿って浴室側に戻るので、空洞に流れ込んだ浴室の湯水が脱衣室側開口から脱衣室側に流れ出ることが低減する。
【０００８】
本発明においては、前記浴室側片に上水密材を脱衣室側に向けて装着し、
前記ガラリの下部に下水密材を下向きに装着し、
このガラリが閉鎖姿勢のときに、当該ガラリの上部が前記上水密材に圧着し、前記下水密材が前記第２形材の本体の上面に圧着するようにできる。
このようにすれば、ガラリが閉鎖姿勢のときの水密性が優れ、浴室の湯水が換気部を通って脱衣室側に流れることを確実に防止できる。
しかも、第２形材の本体の上面を簡単に清掃することができる。
【０００９】
本発明においては、前記ガラリが開放姿勢のときに、そのガラリと第１形材の浴室側片との間に空気が流通し、ガラリと第２形材の脱衣室側片との間には空気が流通しないようにできる。
【００１０】
本発明においては、前記ガラリが開放姿勢のときに、そのガラリと第１形材の浴室側片との間及び、ガラリと第２形材の脱衣室側片との間に、空気がそれぞれ流通するようにできる。
【００１１】
本発明においては、前記ガラリの左右両側の上部と下部に上スライド部と下スライド部をそれぞれ設け、
前記換気部を構成する対向した２つの第３形材に、前記上スライド部を見込み方向に摺動自在に案内する上案内部と、前記下スライド部を見込み方向に摺動自在に案内する下案内部を設け、
前記上案内部は、見込み方向に向かう上ガイド溝と、この上ガイド溝の浴室側寄りと連続した上の浴室側凹部と、前記上ガイド溝の脱衣室側寄りと連続した上の脱衣室側凹部を有し、
前記下案内部は、見込み方向に向かう下ガイド溝と、この下ガイド溝の浴室側寄りと連続した下の浴室側凹部と、前記下ガイド溝の脱衣室側寄りと連続した下の脱衣室側凹部を有し、
前記ガラリの上スライド部、下スライド部を上下の浴室側凹部にそれぞれ嵌合することで、当該ガラリを閉鎖姿勢に保持し、
前記ガラリの上スライド部、下スライド部を上下の脱衣室側凹部にそれぞれ嵌合することで、当該ガラリを開閉姿勢に保持するようにできる。
このようにすれば、ガラリを閉鎖姿勢と開放姿勢とにスムーズに平行移動することができる。
しかも、ガラリを閉鎖姿勢、開放姿勢に確実に保持することができる。
【００１２】
本発明においては、前記上ガイド溝を上の浴室側開口部で浴室側に開口し、
前記下ガイド溝を下の浴室側開口部で浴室側に開口することができる。
このようにすれば、ガラリの上スライド部を上の浴室側開口部から上ガイド溝に挿入したり、抜き出しできると共に、下スライド部を下の浴室側開口部から下ガイド溝に挿入したり、抜き出しできるので、ガラリを浴室側から換気部内に取り付けたり、取り外したりすることができる。
したがって、ガラリを換気部の外で簡単に清掃できるし、換気部内を簡単に清掃できる。
【発明の効果】
【００１３】
本発明によれば、障子の浴室側面からガラリが浴室側に突出することがないと共に、ガラリが開放姿勢で換気部が非換気状態のときに障子の浴室側面とガラリが略フラットに連続したように見え、意匠性に優れた浴室建具とすることができる。
しかも、ガラリを閉鎖姿勢とすることで、浴室側からガラリを簡単に清掃することができる。
【図面の簡単な説明】
【００１４】
【図１】浴室建具の正面図である。
【図２】図１の縦断面図である。
【図３】図１の横断面図である。
【図４】図２の換気部の拡大図である。
【図５】ガラリとガラリブロックの斜視図である。
【図６】換気部の非換気状態の斜視図である。
【図７】換気部の換気状態の斜視図である。
【図８】換気部の第２の実施の形態を示す断面図である。
【図９】換気部の第３の実施の形態を示す断面図である。
【発明を実施するための形態】
【００１５】
図１に示すように、枠体１に障子２を開閉自在に設けて浴室建具としている。この枠体１を浴室の出入口に取り付ける。
前記枠体１は、上枠１０と下枠１１と左右の縦枠１２で方形状である。
前記障子２は、上框２０と下框２１と左右の縦框２２で方形状の框組体２３に樹脂プレート、ガラス等のパネル２４を装着したもので、その框組体２３の下部分に換気部用枠３が設けられ、この換気部用枠３の内部を換気部４としている。
この換気部用枠３は、上下方向に対向した第１形材（例えば、中桟３０）、第２形材（例えば、下框２１）と、左右方向に対向した２つの第３形材（例えば、縦框２２）とで矩形状で、換気部４は換気部用枠３の浴室側面と脱衣室側面とに開口し、浴室側と脱衣室側を連通する。
前記換気部４内にガラリ５が設けられ、このガラリ５で換気部４を開放、閉鎖して換気状態、非換気状態とする。
前記障子２は、一方の縦框２２の上下部が上枠１０と下枠１１に面外方向に回動自在に連結され、浴室建具は開き戸である。
これに限ることはなく、障子２を面内方向に移動自在とした引戸、２つの障子を折曲自在とした折戸等でも良い。
【００１６】
図２と図３に示すように、前記パネル２４は框組体２３の浴室側寄りに設けられ、パネル２４の浴室側面２４ａと框組体２３の浴室側面２３ａは略フラットに連続し、障子２の浴室側面２ａはほぼフラットな面である。
例えば、上框２０、縦框２２、中桟３０の浴室側寄りにパネル取付用の凹溝２０ａ，２２ａ，３０ａを有し、その凹溝２０ａ，２２ａ，３０ａにパネル２４の周縁部が嵌め込んで取り付けてある。
【００１７】
前記ガラリ５は図２に実線で示すように、換気部４内の浴室側寄りに位置した閉鎖姿勢と仮想線で示すように、換気部４内の脱衣室側寄りに位置した開放姿勢とに亘って見込み方向に平行移動し、そのガラリ５は換気部用枠３の浴室側面３ａ（障子２の浴室側面２ａ）、脱衣室側面３ｂ（障子２の脱衣室側面２ｂ）から浴室側及び脱衣室側に突出しないようにしてある。
【００１８】
前記ガラリ５が閉鎖姿勢のときには、そのガラリ５の一方、例えば上部が換気部用枠３の上部浴室側部分（中桟３０の浴室側部分）に当接し、ガラリ５の他方、例えば下部が換気部用枠３の下部浴室側部分（下框２１の浴室側部分）に当接して換気部４の浴室側を閉鎖し、換気部４を非換気状態とする。このときガラリ５は換気部４内の浴室側寄りに位置し、障子２の浴室側面２ａ（換気部用枠３の浴室側面３ａ）とガラリ５の浴室側面５ａがほぼフラットに連続するようにしてある。
このようであるから、換気部４が閉鎖された非換気状態のときに、障子２の浴室側面２ａ（換気部用枠３の浴室側面３ａ）とガラリ５が略フラットに連続したように見える。
しかも、浴室側からガラリ５を簡単に清掃できる。
【００１９】
前記ガラリ５が仮想線で示す開放姿勢のときには、ガラリ５の上部が換気用枠３の上部（中桟３０）と離れ、換気部４の浴室側が開放され、換気状態となる。
このとき、ガラリ５は換気部４内の脱衣室側寄りに位置する。
【００２０】
次に前記換気部４の詳細を図４〜図７に基づいて説明する。
前記換気部４を構成する中桟３０（第１形材）は、本体３１と、この本体３１の浴室側部に下向きに設けられた浴室側片３２を備え、その本体３１が縦框２２に連結されると共に、本体３１の浴室側部に前記凹溝３０ａが上向きに有し、浴室側片３２の下部に上水密材３３が脱衣室側に向けて装着してある。
これによって、パネル２４の浴室側面２４ａと、本体３１の浴室側面３１ａ、浴室側片３２の浴室側面３２ａがほぼフラットに連続する。
【００２１】
前記換気部４を構成する下框２１（第２形材）は、本体３５と、この本体３５の脱衣室側部に上向きに設けた脱衣室側片３６を備え、その本体３５が縦框２２に連結される。
前記脱衣室側片３６の上部には係止片３７が浴室側に向けて設けてある。
この係止片３７は下向き鉤形で、脱衣室側片３６の浴室側面に沿って上向きに流れた湯水が係止片３７で下向きの流れとなるから、係止片３７は水返しの役目を有する。
【００２２】
前記下框２１と中桟３０は見付け方向（上下方向）に離隔して空洞４０を形成している。
前記下框２１の本体３５の上面３５ａにおける浴室側部と前記中桟３０の浴室側片３２の下端部３２ｂは見付け方向（上下方向）に離隔し、前記空洞４０を浴室側に開口する浴室側開口４１を形成している。
前記中桟３０の本体３１の下面３１ｂの脱衣室側部と前記下框２１の脱衣室側片３６の上端部３６ａとが見付け方向（上下方向）に離隔し、前記空洞４０を脱衣室側に開口する脱衣室側開口４２と形成している。
【００２３】
前記空洞４０、浴室側開口４１、脱衣室側開口４２で換気部４を構成し、その浴室側開口４１よりも脱衣室側開口４２が上方に位置し、その浴室側開口４１と対向して脱衣室側片３６が位置していると共に、脱衣室側開口４２と対向して浴室側片３２が位置しているので、ガラリ５が開放姿勢で換気状態のときに、前記浴室側開口４１から流入した浴室の湯水は脱衣室側片３６に当って戻り、脱衣室側開口４２から流出し難く、その湯水が脱衣室側に流れ込むことが低減する。
【００２４】
前記ガラリ５は板状で、その上下寸法は前記浴室側開口４１の上下寸法よりも若干大きく、左右寸法は左右の縦框２２間の寸法よりも若干小さい。
前記ガラリ５の左右両側には上スライド部５０と下スライド部５１がそれぞれ設けてある。
例えば、ガラリ５は、板状の本体５２と、この本体５２の左右両側部に嵌め込んで取り付けたガラリキャップ５３を備え、そのガラリキャップ５３の上下に上ピン５４と下ピン５５を有し、その上ピン５４が上スライド部５０で、下ピン５５が下スライド部５１である。
前記本体５２の下部に下水密材５６が下向きに装着されていると共に、本体５２の浴室側面の上下中間に把手５７が設けてある。
【００２５】
前記ガラリ５が閉鎖姿勢で非換気状態のときには、図４実線、図６に示すように、ガラリ５の上部が上水密材３３に圧着すると共に、下水密材５６が下框２１の本体３５の上面３５ａに圧着し、ガラリ５と中桟３０、下框２１との間をそれぞれ水密する。
これによって、浴室使用時に湯水が換気部４を通って脱衣室側に流れることを確実に防止できる。
しかも、ガラリ５の下部に下水密材５６を設けたので、下框２１の本体２５の上面３５ａを平坦な面とすることが可能で、その上面３５ａを簡単に清掃できる。
【００２６】
前記左右の縦框２２の面内方向に相対向した部分（つまり、第３形材の内側面）に、上案内部６０と下案内部７０がそれぞれ設けてある。
この上下案内部６０，７０は、見込み方向に向かうと共に、水平に対して脱衣室側が高く浴室側が低くなるように斜めとなった上ガイド溝６１、下ガイド溝７１と、この上下ガイド溝６１，７１の浴室側寄りと連続して下方に向かう上下の浴室側凹部６２，７２と、上下ガイド溝６１，７１の脱衣室側寄りと連続して下方に向かう上下の脱衣室側凹部６３，７３を有する。
【００２７】
前記上ガイド溝６１に前述の上ピン５４が摺動自在に嵌合し、下ガイド溝７１に前述の下ピン５５が摺動自在に嵌合し、その上下ピン５４，５５を上下ガイド溝６１，７１に沿って見込み方向に摺動することでガラリ５は閉鎖姿勢と開放姿勢に平行移動する。
【００２８】
そして、上ピン５４を上の浴室側凹部６２、下ピン５５を下の浴室側凹部７２にそれぞれ嵌め込むことで、ガラリ５が閉鎖姿勢に保持され、上ピン５４を上の脱衣室側凹部６３、下ピン５５を下の脱衣室側凹部７３にそれぞれ嵌め込むことで、ガラリ５が開放姿勢に保持される。
【００２９】
前記上下ガイド溝６１，７１は上下の浴室側開口部６４，７４で浴室側にそれぞれ開口し、上下ピン５４，５５を浴室側から上下ガイド溝６１，７１に挿入したり、抜き出したりできるようにしてある。
このようであるから、ガラリ５を浴室側から換気部４内に取り付けたり、取り外したりすることができる。
したがって、ガラリ５を換気部４の外で清掃できるから、そのガラリ５を簡単に清掃できるし、換気部４内をガラリ５が無い状態で清掃できるから、換気部４内を簡単に清掃できる。
【００３０】
前記上案内部６０と下案内部７０は図５に示すように縦框２２と別体のガラリブロック８０に形成され、そのガラリブロック８０を縦框２２の面内方向に相対向した部分に設けることで、上案内部６０、下案内部７０を換気部４内に位置させる。
このガラリブロック８０の脱衣室側部の上半分には突条８１が設けてあり、この突条８１にガラリ５が接して開放姿勢のストッパの役目をする。
前記ガラリブロック８０の上下中間には係止受溝８２が形成され、この係止受溝８２は脱衣室側端面８０ａに開口した下向き鉤形で、前記下框２１の脱衣室側片３６に設けた係止片３７が嵌合する。
前記ガラリブロック８０の浴室側端面８０ｂに上下の浴室側開口部６４，７４が開口している。
ガラリブロック８０の浴室側の上下には上下突起８３，８４が設けられ、上下中間に溝部８５が形成され、上下突起８３，８４が図４に示すように中桟３０の本体３１、下框２１の本体３５に嵌合し、溝部８５に浴室側片３２の水密材装着部３２ｃが嵌合している。
【００３１】
このように、縦框２２とは別のガラリブロック８０に上下案内部６０，７０を形成したことにより、縦框２２は通常の障子に用いる縦框とすることができる。
しかも、このガラリブロック８０を前述の第３形材とし、ガラリブロック８０と中桟３０（第１形材）と下框２１（第２形材）で換気部用枠３とすることが可能である。
【００３２】
前述のようにしたことで、図４仮想線、図７に示すように、ガラリ５を開放姿勢としたときに、換気部４の浴室側開口４１が開放すると共に、脱衣室側開口４２の上半分が開放し、ガラリ５と浴室側片３２との間にのみ空気が流通するようになるので、換気部４を通して浴室を換気することができる。
【００３３】
前述の実施の形態では、中桟３０とガラリ５の浴室側面５ａとの間にのみ空気が流通するようにしたが、これに限ることはなく、中桟３０とガラリ５の浴室側面５ａとの間及び下框２１とガラリ５の脱衣室側面５ｂとの間を空気が流通するようにしても良い。
例えば、図８に示すように、上下ガイド溝６１，７１の面外方向中間部と連続して上下の脱衣室側凹部６３，７３を形成し、この上下の脱衣室側凹部６３，７３に上下ピン５４，５５を嵌め込むことで、ガラリ５を空洞４０の面外方向中間部において開放姿勢として保持する。ガラリ５が開放姿勢のときに上部が下部よりも脱衣室側寄りとなるように倒れた状態としても良い。
この場合には、ガラリ５は縦方向（第１・第２形材に向かう）に向かう姿勢を維持して移動する。
【００３４】
このようにすれば、ガラリ５の浴室側面５ａと中桟３０との間に空気が流れると共に、ガラリ５の脱衣室側面５ｂと下框２１との間に空気が流れるので、浴室内を効率良く換気できる。
【００３５】
前述の各実施の形態では、中桟３０の浴室側片３２と下框２１の脱衣室側片３６を見付け方向（上下方向）に離隔し、その浴室側片３２、脱衣室側片３６を脱衣室側、浴室側からそれぞれ清掃し易くしたが、これに限ることはなく、前述の浴室側片３２と脱衣室側片３６を見付け方向（上下方向）に重なりあうようにしても良い。
【００３６】
例えば、図９に示すように、浴室側片３２の下端部３２ｂを脱衣室側片３６の上端部３６ａよりも下方に位置させ、見付け方向に重なり合うようにする。
このようにすれば、浴室側から換気部４を通して脱衣室側に湯水が流れにくくなる。
【００３７】
図９に示す実施の形態では、下框２１の本体３５の上面３５ａを浴室側に段部３５ｂを有する形状とし、その段部３５ｂの浴室側に向かう縦面３５ｃに下水密材５６が圧着するようにしてある。
なお、図９には上下案内部６０，７０は前述のものと同一であるから、その上下案内部６０，７０の図示が省略してある。
【００３８】
前述の各実施の形態では第１形材（中桟３０）と第２形材（下框２１）を上下に対向したが、第１形材と第２形材を左右に対向させ、２つの第３形材を上下に対向するようにしても良い。
【符号の説明】
【００３９】
１…枠体、２…障子、３…換気部用枠、４…換気部、５…ガラリ、１１…下框（第２形材）、１２…縦框（第３形材）、２４…パネル、３０…中桟（第１形材）、３１…本体、３２…浴室側片、３３…上水密材、３５…本体、３６…脱衣室側片、４０…空洞、４１…浴室側開口、４２…脱衣室側開口、５０…上スライド部、５１…下スライド部、５６…下水密材、６０…上案内部、６１…上ガイド溝、６２…上の浴室側凹部、６３…上の脱衣室側凹部、６４…上の浴室側開口部、７０…下案内部、７１…下ガイド溝、７２…下の浴室側凹部、７３…下の脱衣室側凹部、７４…下の浴室側開口部、８０…ガラリブロック。
【図１】
0005468563.tif 000002
【図２】
0005468563.tif 000003
【図３】
0005468563.tif 000004
【図４】
0005468563.tif 000005
【図５】
0005468563.tif 000006
【図６】
0005468563.tif 000007
【図７】
0005468563.tif 000008
【図８】
0005468563.tif 000009
【図９】
0005468563.tif 000010